(57)【要約】【課題】  従来の間接照明を行う照明付き鏡は、左右および下に間接照明する場合、左右および下に各々照明ランプを配置していたため、下に洗面器などの障害物があるとランプ交換がしにくかった。また、幅が狭い鏡では、下側に短いランプを使わなければならず交換ランプの種類も増えるという課題があった。【解決手段】  照明ランプの間に配置された仕切板の下端を、前記照明ランプの発光部下端よりも上側とすることにより、左右２本の照明ランプで下方も照らすことができる。これにより、下に洗面器などの障害物があっても照明ランプ交換をしやすくし、照明ランプ交換部品の種類を統一することによりメンテ部品管理をしやすくし、極端に短い特殊な照明ランプを使う必要もなく、照明ランプの数を減らして製品重量を抑えるとともにコストダウンすることを可能とした。【選択図】  図１
2006278178.tif 000002
【特許請求の範囲】
【請求項１】
壁面と平行に設置される鏡部と
その壁面とその鏡部の間にはその鏡部を保持する基台と
その基台内に配置される照明手段とからなる照明付き鏡において、
前記照明手段は垂直縦向きに左右対称に配置された一対の直管型の照明ランプを有し、
前記基台は壁面固定部とその壁面固定部と前記鏡部を連結する仕切板とを有し、
その仕切板は前記一対の照明ランプの間に配置され、その基台の左右側面および下面から前記照明ランプの光を投光可能に構成され、
前記仕切板の下端は前記照明ランプの発光部下端よりも上側であることを特徴とする照明付き鏡。
【請求項２】
前記仕切板の下端には、前記一対の照明ランプからの光を下方に反射させる反射板が配置されたことを特徴とする請求項１に記載の照明付き鏡。
【請求項３】
前記仕切板の下端の位置が、前記照明ランプ発光部の下端より、前記一対の照明ランプの水平左右方向間隔の略１／２の距離以上離れた位置であることを特徴とする請求項１又は２に記載の照明付き鏡。
【請求項４】
前記仕切板の下端の位置が、前記照明ランプ発光部の下端より、前記一対の照明ランプの水平左右方向間隔の略１／２に５ｃｍ加えた距離以上離れた位置であることを特徴とする請求項１又は２に記載の照明付き鏡。
【発明の詳細な説明】
【技術分野】
【０００１】
本発明は、主として洗面器の上などに設置する間接照明の機能を持った照明付き鏡に関する発明である。 
【背景技術】
【０００２】
従来のこの種の照明付き鏡は、図７に示すように、基台１と鏡部２と照明手段３からなる。なお説明のため、図７は鏡部２を透視した図となっている。鏡部２は基台１の手前に固定されており、壁面より約１５ｃｍ前に出ているため、下に洗面器などがあっても鏡に顔を容易に近づけて見ることができる。照明手段３は左右および下に３本の直管型の照明ランプ３１ａ、３１ｂ、３１ｃを持ち、基台１は壁面固定部１０と、照明ランプ３１ａ、３１ｂ、３１ｃの間にある仕切板１３ａ、１３ｂ、１３ｃからなる。
基台１の左右側面および下面からは照明ランプ３１ａ、３１ｂ、３１ｃの光が投光され、鏡部の裏側より左右下の壁面などを照らす間接照明となる。以上のように、左右および下の壁面に対して間接照明する場合には、鏡部と壁面の間の左右および下の３箇所に照明ランプを配置していた（例えば、特許文献１参照。）。 
【０００３】
図６は左右および下方の壁面を間接照明するイメージを示したものである。
鏡部の側方壁面を照らすことは、鏡使用者に適度な照明を供給するのみでなく、鏡のフローティング感を増すことでデザイン性を向上させる狙いがある。
また、下方照明では洗面器付近も照らすことができ、天井などに設置された室内照明の光を鏡が遮ることにより洗面器付近が暗くなるのを抑えることができる。 
【０００４】
しかし、下方のみを照明するための照明ランプが必要なため、その分コストアップとなり、製品自体の重量も重くなり、引き回す電線量も増え、端子台として標準品が少ない３対の出力端子を持つものが必要であった。また、洗面器が近くにある下方の照明ランプ３１ｃの交換は、交換スペースが狭いため、非常に作業しにくいものであった。
【０００５】
また、パブリックトイレの限られた洗面空間に多くの洗面器を連立設置するため、その上部に設置する鏡の横幅も狭いものが求められ、下方の照明ランプ３１ｃは側面の照明ランプ３１ａ、３１ｂよりも短いサイズのものが必要となる。
従って、メンテナンスでは複数規格の照明ランプを扱う必要があり、交換用ランプとして複数種類を常備しなければならない。また、ランプ交換の個所が増え作業がたいへんになる。
【０００６】
さらに、下方の照明ランプ３１ｃとして使用することが多い、３０ｃｍ以下の短いサイズの直管型の照明ランプは、標準品として入手が容易なものは出力１０Ｗ以下であり、周波数スイッチ切替式は標準品として入手できないことが多い。このため、全てを周波数スイッチ切替式にするためには、カスタム品を必要としコストアップとなる。
【特許文献１】実開平２−１１２１９３号公報（第４−７頁、第１図）
【発明の開示】
【発明が解決しようとする課題】
【０００７】
本発明は、上記問題を解決するためになされたもので、照明付き鏡において、下方への光を減らすことなく、下に洗面器などの障害物があっても照明ランプ交換をしやすくし、照明ランプ交換部品の種類を統一することによりメンテナンス部品管理をしやすくし、長さの短い特殊な照明ランプを使わずに、照明ランプの数を減らしてコストダウンし製品重量を抑えるものである。
【課題を解決するための手段】
【０００８】
上記目的を達成するために請求項１記載の発明によれば、照明手段は垂直縦向きに左右対称に配置された一対の直管型の照明ランプを持ち、仕切板の下端は照明ランプの発光部下端よりも上側とすることにより、下方への光を減らすことなく、下方の照明ランプをなくし、下に洗面器などの障害物があっても照明ランプ交換をしにくいということがなく、照明ランプ交換部品の種類を統一することによりメンテナンス部品管理をしやすくし、長さの短い特殊な照明ランプを使わずに、照明ランプの数を減らしてコストダウンし製品重量を抑えることを可能とした。
【０００９】
また、請求項２記載の発明のよれば、仕切板の下端に、一対の照明ランプからの光を下方に反射させる反射板が配置されることにより、照明ランプの下方発光部から横方向内向きに発する光の一部を下方へ反射することができるため、下方への光をより増すことを可能とした。
【００１０】
また、請求項３の発明のよれば、仕切板の下端の位置が、照明ランプ発光部の下端より、前記一対の照明ランプの水平左右方向間隔の略１／２の距離以上離れた位置とすることにより、照明ランプの下方発光部から水平方向内向きに発する光を、水平面に対してほぼ４５°の角度をなす反射板の全ての面を使って真下へ向かわせることができるため、下方への光をより増すことを可能とした。
【００１１】
また、請求項４記載の発明のよれば、前記仕切板の下端の位置が、前記照明ランプ発光部の下端より、前記一対の照明ランプの水平左右方向間隔の略１／２に５ｃｍ加えた距離以上離れた位置とすることにより、照明ランプに蛍光灯などの熱陰極管を使用した場合、寿命近くになり発光部両端が黒化し光度が低くなっても、下方照明の光量が大きく低下するのを防ぐことを可能とした。
【発明の効果】
【００１２】
本発明によれば、照明付き鏡において、下に洗面器などの障害物があっても照明ランプ交換をしやすくし、照明ランプ交換部品の種類を統一することによりメンテ部品管理をしやすくし、長さの短い特殊な照明ランプを使わずに、下方への光を減らすことなく照明ランプの数を減らしてコストダウンし製品重量を抑えるという効果がある。
【発明を実施するための最良の形態】
【００１３】
図１、図２は、本発明に係わる照明付き鏡の１実施例をあらわしたものである。照明付き鏡は、基台１と鏡部２と照明手段３からなる。なお説明のため、図１は鏡部２を透視した図となっている。
【００１４】
鏡部２は、鏡２０と、前板２２と、フレーム２３と、上下の連結金具２４ａ、２４ｂからなる。フレーム２３は前板２２に木ネジなどで固定されており、鏡２０を前板２２に固定する役割がある。連結金具２４ａ、２４ｂは、前板２２に木ネジなどで固定されており、基台１にネジ止めすることで鏡部２を基台１に連結するようになっている。
【００１５】
基台１は、壁面固定部１０と仕切板１３ａ、１３ｂと天板１２を持ち、壁面固定部１０の４隅の穴を使い壁にネジ止めすることにより、基台１を壁面に固定する。鏡部２は壁面に平行に設置される。
仕切板１３ａ、１３ｂは壁面に対して垂直に壁面固定部１０に固定され、仕切板１３ａ、１３ｂの上端には天板１２が固定されている。天板１２は、基台の上部を覆い、水滴などが照明手段３などの電装部にかかるのを抑えている。仕切板１３ａ、１３ｂ間には間板１４があり、仕切板の強度を強化している。また、仕切板１３ａ、１３ｂには、軽量化のための穴などを設けても良く、鏡部２を連結するための強度が確保されていれば良い。
【００１６】
照明手段３は、照明ランプ３１ａ、３１ｂ、端子台３３、電線３５ａ、３５ｂからなる。照明ランプ３１ａ、３１ｂは、仕切板１３ａ、１３ｂの両側に左右対称にほぼ鉛直縦向きにあり、壁面固定部１０に固定されている。照明ランプ３１ａ、３１ｂにはいずれも直管型３０Ｗの蛍光灯が使われている。端子台３３は、仕切板１３ａ、１３ｂの間に配置されている。端子台３３の端子は２極で、１入力２出力となっており、出力端子に並列接続された照明ランプ３１ａ、３１ｂの電線３５ａ、３５ｂを通して照明ランプ３１ａ、３１ｂに給電される。端子台３３の下方にはΦ３０の電源線引込穴１５が壁面固定部１０に開けられている。
【００１７】
仕切板１３ａ、１３ｂの仕切板下端１６は照明ランプの発光部下端３２より上側に位置している。また、仕切板１３ａ、１３ｂの仕切板下端１６には、ほぼ９０°に曲げられた角を下向きにしたステンレス薄板の反射板１７が取付けられている。
【００１８】
基台１の側面には側面窓４２ａ、４２ｂがあり、基台１の底面には底面窓４１があり、いずれも半透明のアクリル板などを使用し、壁面固定部１０などに固定されている。固定方法は、Ｌ字金具とローレットねじなどを用いてもよいし、簡易的にワンタッチ式着脱テープなどを用いても良い。これらの窓は、内部の機能部を見え難くしたり、光量を適量に抑えたり、光を拡散させたりする役目を持つ。
【００１９】
以上のうち、壁面固定部１０、天板１２、仕切板１３ａ、１３ｂ、間板１４、前板２２には、木板や木製合板などを用い、フレーム２３、連結金具２４ａ、２４ｂには、ステンレスやアルミを用いている。
【００２０】
施工時には、鏡部２を基台１から一旦取り外した状態で、壁面固定部１０の４箇所を木ねじで壁面に止めることで、まず基台１を壁に固定する。そのとき、電源線引込穴１５にはＡＣ１００Ｖの屋内電源線（ＶＣＣケーブル等）を引き込んでおき、端子台３３に接続する。そのあと、鏡部２を基台１に連結金具２４ａ、２４ｂで固定する。屋内電源線にＡＣ１００Ｖを供給すると照明ランプ３１ａ、３１ｂが点灯する。
【００２１】
照明ランプ３１ａ、３１ｂが発する光は、表面を白色に化粧された壁面固定部１０や仕切板１３ａ、１３ｂや前板２２などで反射されながら左右外側に達し、側方壁面をほのかに照らす間接照明となる。また、照明ランプ３１ａ、３１ｂの下方で内向きに発する光は、壁面固定部１０や前板２２で反射されながら下方外側に達し、下方壁面を照らす間接照明となる。また、反射板１７により、照明ランプ３１ａ、３１ｂの下方発光部から横方向内向きに発する光を効果的に下方へ反射することができる。
【００２２】
以上のように、左右および下方を照らすことを左右２つの照明ランプのみで行うことにより、照明ランプや電線を減らしてコストダウンするとともに、製品自体の重量を軽くできうえ、端子台は２極２出力などの比較的品揃えの多いものを使用することができる。また、下側にある洗面器のため作業しにくい下方の照明ランプの交換作業をなくすことができる。
【００２３】
また、パブリックトイレにおいて連立する洗面器の上方にある鏡は、限られた横スペースに納めるため縦長になることが多い。よって、図７の従来例のように、下方照明のために照明ランプ３１ｃを下方に追加すると、側面の照明ランプ３１ａ、３１ｂよりも非常に短い、例えば長さ３０ｃｍ以下の特殊なサイズのものになる。このような短いサイズの照明器具は出力１０Ｗ以下となり、周波数スイッチ切替式が標準で品揃えされていないことが多い。下方の照明ランプ３１ｃをなくすことで、標準品で周波数スイッチ切替式にすることができ製品の価格を抑えることができる。また、下方の照明ランプ３１ｃをなくし同一規格の照明ランプのみとすることで、ランプ交換の作業をシンプルにでき、交換用の照明ランプは１種類のみ管理すればよくなる。
【００２４】
間接光の光量を増やしたい場合には、壁面固定部１０や仕切板１３ａ、１３ｂや前板２２をより光を反射しやすい鏡面処理などにしてもよく、また、底面窓４１や側面窓４２ａ、４２ｂをなくしたり、透明に近いものに変えても良い。
【００２５】
また、天板１２や仕切板１３ａ、１３ｂや照明手段３などは、壁面固定部１０ではなく前板２２に固定されていて、壁面固定部１０に連結金具２４ａ、２４ｂが付いているような形態でもよい。また、仕切板１３ａ、１３ｂが、壁面固定部１０と前板２２いずれにもあらかじめ固定されており、壁面固定部１０の連結金具にて壁面に固定するような形態でも良い。この場合、屋内電源線の接続は、端子台３３は使わず、壁に埋め込んだアウトレットボックス内などで行うこととなる。
【００２６】
図３は、請求項１に係わる照明付き鏡の１実施例を説明したものである。仕切板１３ａ、１３ｂの仕切板下端１６が照明ランプ３１ａ、３１ｂの発光部下端３２より上側にあるため、発光部の下部の光が下方へも照射および散乱し下方照明となる。
【００２７】
図４は、請求項２および３に係わる照明付き鏡の１実施例を説明したものである。仕切板１３ａ、１３ｂの仕切板下端１６に、照明ランプ３１ａ、３１ｂからの光を下方に反射させる反射板１７が配置されることにより、照明ランプの下方発光部から横方向内向きに発する光の一部を下方へ反射することができるため、下方への光をより増すことを可能とした。
【００２８】
また、照明ランプ３１ａ、３１ｂ間の距離をＬとした場合、仕切板１３ａ、１３ｂの仕切板下端１６の位置が、照明ランプ３１ａ、３１ｂの発光部仕切板下端３２より、Ｌ／２以上、上にあることにより、照明ランプ３１ａ、３１ｂの下方発光部から水平方向内向きに発する光を、水平面に対してほぼ４５°の角度をなす反射板１７の全ての面を使って光を真下へ向かわせることができるため、下方への光をより増すことを可能とした。
【００２９】
図５は、請求項４に係わる照明付き鏡の１実施例をあらわしたものである。仕切板１３ａ、１３ｂの仕切板下端１６の位置をさらに５ｃｍ上げたものである。これにより、照明ランプ３１ａ、３１ｂに蛍光灯などの熱陰極管を使用した場合、寿命による発光部両端の黒ずみ３６のために発光部両端の光度が急に低くなっても、下方照明の光量が急激に低下するのを防ぐことを可能とした。蛍光灯両端の黒化する長さは一般的に５ｃｍ以内である。
【図面の簡単な説明】
【００３０】
【図１】本発明の一実施例を示す正面図である。
【図２】本発明の一実施例を示す側面図である。
【図３】反射板を用いない下方照明の説明図である。
【図４】反射板を用いた下方照明の説明図である。
【図５】照明ランプ寿命時を考慮した反射板位置の説明図である。
【図６】洗面空間の間接照明イメージを示す図である。
【図７】従来の照明付き鏡を示す正面図である。
【符号の説明】
【００３１】
１…基台
２…鏡部
３…照明手段
１０…壁面固定部
１２…天板
１３ａ、１３ｂ…仕切板
１４…間板
１５…電源線引込口
１６…仕切板下端
１７…反射板
３１ａ、３１ｂ…照明ランプ
３２…発光部下端
３３…端子台
３５ａ、３５ｂ…電線
３６…寿命による発光部両端の黒ずみ
【図１】
2006278178.tif 000003
【図２】
2006278178.tif 000004
【図３】
2006278178.tif 000005
【図４】
2006278178.tif 000006
【図５】
2006278178.tif 000007
【図６】
2006278178.tif 000008
【図７】
2006278178.tif 000009